(57)【特許請求の範囲】
【請求項１】
１．軸筒内に、筆記体を収容する複数の筆記体収容溝を有した摺動ケースと、回転操作体を回転することで摺動ケースの外周面上を回転可能な回転カムとを設け、筆記体収容溝に、カム係止突起を有した摺動体を装着した筆記体を、ばねにより軸筒の先端開口部と反対側の後方に付勢して配し、カム係止突起を回転カムに形成した傾斜面を有したカム面に当接して、回転カムの回転にともないカム係止突起がカム面に沿って移動することで摺動体および筆記体が前後動し、筆記体の筆記先端部を軸筒の先端開口部より出没してなる回転繰出式の複合筆記具において、前記回転カムが摺動ケースに対し、軸筒の先端開口部側に移動可能に設けるとともにピッチ毎に回転可能に、回転カムと摺動ケースに夫々凸状部あるいは凹状部を周状に設けて凹凸嵌合させ、少なくとも全ての筆記体の筆記先端部が軸筒の先端開口部より没入した際におよび筆記体の筆記先端部が軸筒の先端開口部より突出して維持された際に凸状部が凹状部に嵌合してなる、回転繰出式の複合筆記具。
【請求項２】
軸筒内に、筆記体を収容する複数の筆記体収容溝を有した摺動ケースと、回転操作体を回転することで摺動ケースの外周面上を回転可能な回転カムとを設け、筆記体収容溝に、カム係止突起を有した摺動体を装着した筆記体を、ばねにより軸筒の先端開口部と反対側の後方に付勢して配し、カム係止突起を回転カムに形成した傾斜面を有したカム面に当接して、回転カムの回転にともないカム係止突起がカム面に沿って移動することで摺動体および筆記体が前後動し、筆記体の筆記先端部を軸筒の先端開口部より出没してなる回転繰出式の複合筆記具において、前記摺動ケースの後方に、回転カムの回転に連動して回転可能にかつ摺動ケースに対して前後動可能に弾性部材により摺動ケース側に付勢して係止部材を設け、回転カムが摺動ケースに対してピッチ毎に回転可能に、係止部材の前端部と摺動ケースの後端部に夫々凸状部あるいは凹状部を周状に設けて凹凸嵌合させ、少なくとも全ての筆記体の筆記先端部が軸筒の先端開口部より没入した際におよび筆記体の筆記先端部が軸筒の先端開口部より突出して維持された際に凸状部が凹状部に嵌合してなる、回転繰出式の複合筆記具。
【請求項３】
前記凹状部を構成する周方向の壁面を傾斜面とし、全ての筆記体の筆記先端部が軸筒の先端開口部に没入した状態から筆記体の筆記先端部が突出した状態に回転する際の凸状部との嵌合力と、筆記体の筆記先端部が軸筒の先端開口部から突出した状態から全ての筆記体の筆記先端部が軸筒の先端開口部に没した状態に回転する際の凸状部との嵌合力において、嵌合力に差が生じるように、全ての筆記体の筆記先端部が軸筒の先端開口部に没入した際の凸状部が嵌合する凹状部の傾斜面の傾斜角度と、筆記体の筆記先端部が軸筒の先端開口部から突出した際の凸状部が嵌合する凹状部の傾斜面の傾斜角度を異ならせてなる、請求項１または２に記載の回転繰出式の複合筆記具。
【発明の詳細な説明】
【技術分野】
【０００１】
本発明は、回転操作体を回転することにより、軸筒内に収容した筆記体の筆記先端部を軸筒の先端開口部より出没可能とした回転繰出式の複合筆記具に関するものである。
【背景技術】
【０００２】
従来より、軸筒内に、筆記体を収容する複数の筆記体収容溝を有した摺動ケースと、回転操作体を回転することで摺動ケースの外周面上を回転可能な回転カムとを設け、筆記体収容溝に、カム係止突起を有した摺動体を装着した筆記体を、ばねにより軸筒の先端開口部と反対側の後方に付勢して配し、カム係止突起を回転カムに形成した傾斜面を有したカム面に当接して、回転カムの回転にともないカム係止突起がカム面に沿って移動することで摺動体および筆記体が前後動し、筆記体の筆記先端部を軸筒の先端開口部より出没してなる回転繰出式の複合筆記具は、知られている。
【０００３】
こうした回転繰出式の複合筆記具の構造は、例えば、軸筒を前軸と回転操作体としての後軸とで構成し、後軸を前軸に対して回転することで回転カムを回転し、筆記体の後端部に装着した摺動体のカム係止突起を回転カムのカム面に沿って移動して摺動体および筆記体を軸筒の先端開口部側に前進させ、回転カムの傾斜面の軸筒の先端開口部側の先端の頂部に形成した凹溝にカム係止突起を係止することで、筆記体の筆記先端部を軸筒の先端開口部より突出させてその状態を維持する構造としてある。
【０００４】
そのために、筆記体の筆記先端部を軸筒の先端開口部より突出した状態から、全ての筆記体の筆記先端部を軸筒の先端開口部より没入した状態にする際には、前記回転カムの凹溝からカム係止突起の係止を離脱させるために、前軸に対して後軸を大きな回転トルクで回転する必要があり、その結果、回転し過ぎて他の筆記体の筆記先端部を軸筒の先端開口部より突出させてしまうことが頻繁にある。
【０００５】
前記問題を解消する技術として、全ての筆記体が軸筒内に位置した時に、筆記体の不用意な軸心方向への移動を規制するために、回転カムのカム面の所定位置に筆記部材（筆記体）の先端が筆記具本体（軸筒）内に収まる位置に中間係止部を設けた技術が、実開昭５９−１２４１８９号公報により開示されている。確かに、前記中間係止部を設けることにより、筆記体の筆記先端部を軸筒の先端開口部より突出した状態から、全ての筆記体の筆記先端部を軸筒の先端開口部より没入した状態にする際は、各摺動体のカム係止突起が回転カムのカム面に設けた中間係止部に係止するので係止感があり、回転操作体を回転し過ぎることがないように注意することができる。
【０００６】
しかし、前記した技術では、軸筒内に収容した筆記体の筆記先端部を軸筒の先端開口部に没入した状態から、すなわち摺動体のカム係止突起が前記中間係止部に係止した状態から、筆記先端部を軸筒の先端開口部より突出させる際に、カム係止突起の前記中間係止部への係止を確実に行うために係止力が大きくなるような中間係止部の形状にすると、カム係止突起を中間係止部より離脱させるために回転操作体を大きな回転トルクで回転する必要があり、そのために筆記体の筆記先端部を軸筒の先端開口部より突出した状態に維持するためのカム係止突起が回転カムの傾斜面の先端の頂部に形成した凹溝に係止したものの、回転し過ぎてカム係止突起が中間係止部より離脱してしまうという問題が起きてしまう。逆に、カム係止突起の中間係止部への係止力が大きくならないような形状にすると、カム係止突起の中間係止部への係止の確実性が低下してしまうという問題があり、中間係止部の形状の設定には煩わしさがある。
【０００７】
ところで、特開２００９−２０８３２２号公報には、軸筒の内面と作動カム（回転カム）の外周間に、作動カム（回転カム）が回転して、レフィール（筆記体）のいずれかが筆記位置に移動したときおよび収納位置に移動したときに作動カム（回転カム）をその位置に仮保持するよう凹凸嵌合部を設ける技術が開示されているが、本発明者は、回転操作体を回転した際に回転カムがピッチ毎に回転するようにすれば、全ての筆記体の筆記先端部が軸筒の先端開口部より没入した際に、また筆記体の筆記先端部が軸筒の先端開口部より突出した際に、さらに回転操作体を回転してしまうことを防止できることを思いつき、本発明に至った。
【先行技術文献】
【特許文献】
【０００８】
【特許文献１】実開昭５９−１２４１８９号公報
【特許文献２】特開２００９−２０８３２２号公報
【発明の開示】
【発明が解決しようとする課題】
【０００９】
本発明の目的は、軸筒内に、筆記体を収容する複数の筆記体収容溝を有した摺動ケースと、回転操作体を回転することで摺動ケースの外周面上を回転可能な回転カムとを設け、筆記体収容溝に、カム係止突起を有した摺動体を装着した筆記体を、ばねにより軸筒の先端開口部と反対側の後方に付勢して配し、カム係止突起を回転カムに形成した傾斜面を有したカム面に当接して、回転カムの回転にともないカム係止突起がカム面に沿って移動することで摺動体および筆記体が前後動し、筆記体の筆記先端部を軸筒の先端開口部より出没してなる回転繰出式の複合筆記具において、簡単な構造で、軸筒内に収容した全ての筆記体の筆記先端部を軸筒の先端開口部より没入させる際や、筆記体の筆記先端部を軸筒の先端開口部より突出した状態を維持し、回転操作体を回転し過ぎることなく確実に行え、各部品における設計仕様の煩雑さもない回転繰出式の複合筆記具を得ることにある。
【課題を解決するための手段】
【００１０】
本発明は、
「１．軸筒内に、筆記体を収容する複数の筆記体収容溝を有した摺動ケースと、回転操作体を回転することで摺動ケースの外周面上を回転可能な回転カムとを設け、筆記体収容溝に、カム係止突起を有した摺動体を装着した筆記体を、ばねにより軸筒の先端開口部と反対側の後方に付勢して配し、カム係止突起を回転カムに形成した傾斜面を有したカム面に当接して、回転カムの回転にともないカム係止突起がカム面に沿って移動することで摺動体および筆記体が前後動し、筆記体の筆記先端部を軸筒の先端開口部より出没してなる回転繰出式の複合筆記具において、前記回転カムが摺動ケースに対し、軸筒の先端開口部側に移動可能に設けるとともにピッチ毎に回転可能に、回転カムと摺動ケースに夫々凸状部あるいは凹状部を周状に設けて凹凸嵌合させ、少なくとも全ての筆記体の筆記先端部が軸筒の先端開口部より没入した際におよび筆記体の筆記先端部が軸筒の先端開口部より突出して維持された際に凸状部が凹状部に嵌合してなる、回転繰出式の複合筆記具。
２．軸筒内に、筆記体を収容する複数の筆記体収容溝を有した摺動ケースと、回転操作体を回転することで摺動ケースの外周面上を回転可能な回転カムとを設け、筆記体収容溝に、カム係止突起を有した摺動体を装着した筆記体を、ばねにより軸筒の先端開口部と反対側の後方に付勢して配し、カム係止突起を回転カムに形成した傾斜面を有したカム面に当接して、回転カムの回転にともないカム係止突起がカム面に沿って移動することで摺動体および筆記体が前後動し、筆記体の筆記先端部を軸筒の先端開口部より出没してなる回転繰出式の複合筆記具において、前記摺動ケースの後方に、回転カムの回転に連動して回転可能にかつ摺動ケースに対して前後動可能に弾性部材により摺動ケース側に付勢して係止部材を設け、回転カムが摺動ケースに対してピッチ毎に回転可能に、係止部材の前端部と摺動ケースの後端部に夫々凸状部あるいは凹状部を周状に設けて凹凸嵌合させ、少なくとも全ての筆記体の筆記先端部が軸筒の先端開口部より没入した際におよび筆記体の筆記先端部が軸筒の先端開口部より突出して維持された際に凸状部が凹状部に嵌合してなる、回転繰出式の複合筆記具。
３．前記凹状部を構成する周方向の壁面を傾斜面とし、全ての筆記体の筆記先端部が軸筒の先端開口部に没入した状態から筆記体の筆記先端部が突出した状態に回転する際の凸状部との嵌合力と、筆記体の筆記先端部が軸筒の先端開口部から突出した状態から全ての筆記体の筆記先端部が軸筒の先端開口部に没した状態に回転する際の凸状部との嵌合力において、嵌合力に差が生じるように、全ての筆記体の筆記先端部が軸筒の先端開口部に没入した際の凸状部が嵌合する凹状部の傾斜面の傾斜角度と、筆記体の筆記先端部が軸筒の先端開口部から突出した際の凸状部が嵌合する凹状部の傾斜面の傾斜角度を異ならせてなる、前記１項または２項に記載の回転繰出式の複合筆記具。」
である。
【００１１】
本発明において、前記凹凸嵌合における凹状部は溝状に形成したものであっても良いし、突部を複数形成し突部間を凹状部として設けたものでも良い。また、凸状部の数は、１つ以上形成すれば良く、その場合は、全ての筆記体の筆記先端部が軸筒の先端開口部より没入した際に、および各々の筆記体の筆記先端部が軸筒の先端開口部より突出して維持された状態の際に、前記凸状部が嵌合する各々の凹状部を１セットとして、摺動ケースに形成された筆記体収容溝の数の分だけ形成する必要がある。また、凹状部を前記１セット設け、全ての筆記体の筆記先端部が軸筒の先端開口部より没入した際に、および各々の筆記体の筆記先端部が軸筒の先端開口部より突出して維持された状態の際に、前記凹状部に嵌合する凸状部を、摺動ケースに形成された筆記体収容溝の数の分だけ設けても良い。当然、前記凸状部を摺動ケースに形成された筆記体収容溝の数の分と、凹状部を摺動ケースに形成された筆記体収容溝の数の分のセットを設けても良い。
【００１２】
請求項３に係る発明において、全ての筆記体の筆記先端部が軸筒の先端開口部に没入した状態から筆記体の筆記先端部が突出した状態に回転する際の前記凸状部と凹状部との嵌合力と、筆記体の筆記先端部が軸筒の先端開口部から突出した状態から全ての筆記体の筆記先端部が軸筒の先端開口部に没入した状態に回転する際の前記凸状部と凹状部との嵌合力において、嵌合力に差が生じるように、凹状部を構成する周方向の傾斜面の傾斜角度を異ならせるが、傾斜角度が小さくなればなるほど傾斜面は垂直状態に近くなり、凸状部の傾斜面との当接により生じる凸状部が凹状部から離脱するための前後動方向への分力が小さいので、凸状部が凹状部から離脱する際に必要とする回転力（嵌合力）は大きくなる。逆に傾斜角度が大きくなればなるほど前記分力は大きくなり、凸状部が凹状部から離脱するための回転力（嵌合力）は小さくてすむ。
【００１３】
回転カムは、軸筒の内壁面に一体に形成して配設しても良いし、回転カム筒として軸筒と別体に形成して軸筒内に配設しても良い。適宜選択すれば良い。請求項２に係る発明において、弾性体とは、ばねやスポンジ等のような外力が加わることで圧縮変形し、外力が無くなることで元の形状に戻る物体やそのような形状をした形状体のことである。
【発明の効果】
【００１４】
本発明の回転繰出式の複合筆記具は前記したような構造なので、軸筒内に収容した全ての筆記体の筆記先端部を軸筒の先端開口部より没入させる際に、回転操作体を回転し過ぎることなく、確実に全ての筆記体の筆記先端部を軸筒の先端開口部より没入した状態にすることができ、かつ筆記体の筆記先端部を軸筒の先端開口部より突出した状態に維持する際に、回転操作体を回転し過ぎることなく、確実に筆記体の筆記先端部が軸筒の先端開口部より突出した状態を維持することができる。また、前記凸状部と凹状部との嵌合感により、回転操作体を回転し過ぎないように注意を払うことができる。またさらに、凸状部や凹状部の形状について特に決まりはなく、設計仕様の煩雑さもない。またさらに、凹状部を構成する周方向の壁面を傾斜面とすることで、傾斜面の傾斜角度を変えることで前記凸状部と凹状部との嵌合力を容易に所望する値に設定できるという利点も有る。
【００１５】
また、筆記体の筆記先端部が軸筒の先端開口部から突出した状態では、摺動体に設けたカム係止突起が回転カムのカム面の先端に形成した凹溝に係止し、かつ前記凸状部が凹状部に嵌合しているので、全ての筆記体の筆記先端部が軸筒の先端開口部より没入するように回転操作体を回転した時の必要とする回転力は、全ての筆記体の筆記先端部が軸筒の先端開口部より没入した状態から筆記体の筆記先端部が軸筒の先端開口部から突出する際の回転操作体の必要とする回転力より大きいものとなってしまうが、請求項３に係る発明とすることで、筆記体の筆記先端部が軸筒の先端開口部から突出した状態から全ての筆記体の筆記先端部が軸筒の先端開口部より没入する際の前記凸状部と凹状部の嵌合力を、全ての筆記体の筆記先端部が軸筒の先端開口部より没入した状態から筆記体の筆記先端部が軸筒の先端開口部から突出する際の前記凸状部と凹状部の嵌合力より小さくすることで、前記状態における回転操作体の必要とする回転力を、同じ様な値にすることができる。
【図面の簡単な説明】
【００１６】
【図１】請求項１に係る発明の実施例で、軸筒内に３本の筆記体を収容した回転繰出式の複合筆記具における、筆記体の筆記先端部が軸筒の先端開口部より突出した状態の、要部を断面した断面図である。
【図２】図１における摺動ケースと回転カム筒の部分の、筆記体を除いた状態を示した拡大縦断面である。
【図３】図２におけるＡ−Ａ線部分の後端側方向（図２において右側方向）を見た拡大断面図で、（ａ）は、筆記体の筆記先端部が軸筒の先端開口部より突出した際の拡大断面図であり、（ｂ）は、全ての筆記体の筆記先端部が軸筒の先端開口部に没入した際の拡大断面図である。
【図４】図３における回転カム筒に設けた凸状部と摺動ケースに設けた凹状部との位置関係を平面に展開した状態の概略を示す拡大展開図で、（ａ）は、筆記体の筆記先端部が軸筒の先端開口部より突出した際の拡大展開図であり、（ｂ）は、全ての筆記体の筆記先端部が軸筒の先端開口部に没入した際の拡大展開図である。
【図５】図１における摺動体のカム係止突起と回転カム筒のカム面との位置関係を平面に展開した状態の概略を示す拡大展開図である。
【図６】請求項３に係る発明の実施例を示し、全ての筆記体の筆記先端部が軸筒の先端開口部に没入状態から筆記体の筆記先端部を突出状態にする際の回転カム筒に設けた凸状部と摺動ケースに設けた凹状部とにおける嵌合力が、筆記体の筆記先端部が軸筒の先端開口部から突出した状態から全ての筆記体の筆記先端部が軸筒の先端開口部に没入状態にする際の前記凸状部と凹状部とにおける嵌合力より大きくした実施例を示し、図２におけるＡ−Ａ線部分の後端側方向（図２において右側方向）を見た拡大断面図で、（ａ）は、筆記体の筆記先端部が軸筒の先端開口部より突出した際の拡大断面図であり、（ｂ）は、全ての筆記体の筆記先端部が軸筒の先端開口部に没入した際の拡大断面図である。
【図７】図６における回転カム筒に設けた凸状部と摺動ケースに設けた凹状部との位置関係を平面に展開した状態の概略を示す拡大展開図で、（ａ）は、筆記体の筆記先端部が軸筒の先端開口部より突出した際の拡大展開図であり、（ｂ）は、全ての筆記体の筆記先端部が軸筒の先端開口部に没入した際の拡大展開図である。
【図８】請求項１に係る発明の他の実施例を示し、軸筒内に２本の筆記体を収容した場合であって、図２におけるＡ−Ａ線部分と同様の位置の後端側方向を見た拡大断面図で、（ａ）は、筆記体の筆記先端部が軸筒の先端開口部より突出した際の拡大断面図であり、（ｂ）は、全ての筆記体の筆記先端部が軸筒の先端開口部に没入した際の拡大断面図である。
【図９】図８における回転カム筒に設けた凸状部と摺動ケースに設けた凹状部との嵌合状態を平面に展開した概略を示す拡大展開図である。
【図１０】請求項１に係る発明のさらに他の実施例を示し、摺動ケースに凸状部を設け、回転カム筒に凹状部を設けた場合で、摺動ケースに回転カム筒を装着した状態を示す拡大縦断面である。
【図１１】図１０におけるＢ−Ｂ線部分の前端側方向（図１０において左側方向）を見た拡大断面図で、（ａ）は、筆記体の筆記先端部が軸筒の先端開口部より突出した際の拡大断面図であり、（ｂ）は、全ての筆記体の筆記先端部が軸筒の先端開口部に没入した際の拡大断面図である。
【図１２】図１１における回転カム筒に設けた凹状部と摺動ケースの凸状部との位置関係を平面に展開した状態の概略を示す拡大展開図で、（ａ）は、筆記体の筆記先端部が軸筒の先端開口部より突出した際の拡大展開図であり、（ｂ）は、全ての筆記体の筆記先端部が軸筒の先端開口部に没入した際の拡大展開図である。
【図１３】請求項２に係る発明の実施例で、軸筒内に３本の筆記体を収容した回転繰出式の複合筆記具の要部における、筆記体の筆記先端部が軸筒の先端開口部より突出した状態の、要部を断面した断面図である。
【図１４】図１３におけるＣ−Ｃ線部分の前側方向（図１３において左側方向）を見た、クリップを省略した拡大断面図である。
【図１５】図１３における摺動ケースの係止突部の後端面の拡大図である。
【図１６】図１３における係止部材の前端面の拡大図である。
【図１７】図１３における摺動ケースに設けた凸状部と、係止部材に設けた凹状部との位置関係を平面に展開した状態の概略を示す拡大展開図で、（ａ）は、筆記体の筆記先端部が軸筒の先端開口部より突出した際の拡大展開図であり、（ｂ）は、全ての筆記体の筆記先端部が軸筒の先端開口部に没入した際の拡大展開図である。
【発明を実施するための最良の形態】
【００１７】
本発明は、軸筒内に、筆記体を収容する複数の筆記体収容溝を有した摺動ケースと、回転操作体を回転することで摺動ケースの外周面上を回転可能な回転カムとを設け、筆記体収容溝に、カム係止突起を有した摺動体を装着した筆記体を、ばねにより軸筒の先端開口部と反対側の後方に付勢して配し、カム係止突起を回転カムに形成した傾斜面を有したカム面に当接して、回転カムの回転にともないカム係止突起がカム面に沿って移動することで摺動体および筆記体が前後動し、筆記体の筆記先端部を軸筒の先端開口部より出没してなる回転繰出式の複合筆記具において、筆記体の筆記先端部を軸筒の先端開口部より出没するための回転操作体を回転した際に、回転操作体がピッチ毎に回転し、少なくとも全ての筆記体の筆記先端部が軸筒の先端開口部より没入した際に、および各々の筆記体の筆記先端部が軸筒の先端開口部より突出して維持された際に、凹凸嵌合するように軸筒内に配した部材に凸状部と凹状部を回転可能に周状に設ける。
【実施例】
【００１８】
本発明の実施例を図面を用いて説明する。実施例において同じ部材、同じ箇所を示す場合は同じ符号を付してある。
本実施では、便宜上、シャープペンシルユニットの筆記体とボールペンレフィルの筆記体を軸筒内に収容した回転繰出式の複合筆記具として説明するが、これに限定されるものではない。軸筒内に、１本のシャープペンシルユニットの筆記体と複数本のボールペンレフィルの筆記体を収容した複合筆記具であっても良いし、複数本のシャープペンシルユニットの筆記体のみをあるいはボールペンレフィルの筆記体のみを収容した複合筆記具であっても良い。
【００１９】
図１〜図５は、請求項１に係る発明の実施例を示す。なお、図１は、軸筒内に３本の筆記体を収容した回転繰出式の複合筆記具における、筆記体の筆記先端部が軸筒の先端開口部より突出した状態の、要部を断面した断面図であり、図２は、図１における摺動ケースと回転カム筒の部分の、筆記体を除いた状態を示した拡大縦断面で、図３は、図２におけるＡ−Ａ線部分の後端側方向を見た拡大断面図で、図４は、図３における回転カム筒に設けた凸状部と摺動ケースに設けた凹状部との位置関係を平面に展開した状態の概略を示す拡大展開図で、図５は、図１における摺動体のカム係止突起と回転カム筒のカム面との位置関係を平面に展開した状態の概略を示す拡大展開図である。
【００２０】
本実施例の回転繰出式の複合筆記具１は、軸筒２内にボールペンレフィルの筆記体３の２本（図１では１本をのみを表示）とシャープペンシルユニットの筆記体４の１本とを収容した構造のものである。本実施例の回転繰出式の複合筆記具１は、従来の回転繰出式の複合筆記具と同様に、軸筒２は前軸２ａと回転操作体としての後軸２ｂと、前軸２ａの前端（図１において左側）に螺着しかつ接着して設けた先窄み状の口金部５とで構成されている。前軸２ａと後軸２ｂとは着脱自在に連接して設けてある。
【００２１】
後軸２ｂの内部には、従来の回転繰出式の複合筆記具と同様に、周方向において１２０°ごとに３つ（図１および図２においては、１つの筆記体収容溝のみが描かれている。）の筆記体収容溝６を有した摺動ケース７と、軸心方向に延びた傾斜面８と平坦面９とで構成されたカム面１０（図２および図５を参照）を有する回転カム筒１１を、摺動ケース７の外周面上を回転可能にして配設してある。
【００２２】
また従来の回転繰出式の複合筆記具と同様に、後軸２ｂの後端には、クリップ１２と金輪１３を介在して消しゴム受け台１４が回転カム筒１１と螺着しかつ接着して配してあり、後軸２ｂの内壁面に設けた係止凸部１５を回転カム筒１１に形成した軸心方向に延びた係止溝１６に係止して、回転カム筒１１が後軸２ｂとともに連動して回転可能に設けてある。回転カム筒１１の後端は後軸２ｂの後端部に当接しており、後軸２ｂの後端部から抜け出さないようにしてある。消しゴム受け台１４には消しゴム１７が挿着してあり、後軸２ｂの後端には頭冠１８を消しゴム受け台１４に着脱自在に螺着して配してある。
【００２３】
前記摺動ケース７は、図２に示すように、円筒状の前方筒部１９と、周方向において１２０°ごとに周方向の幅寸法が同一の３つの筆記体収容溝６を有する収容部２０と、該収容部２０の外径より小径な係止部２１とで構成され、該係止部２１には、外方に突出した係止突部２２を設けてある（図２を参照）。回転カム筒１１の内壁面には、周方向において１２０°ごとに設けた３つの、内方に突出し軸心方向に延びた突条部２３と該突条部２３の先端に形成した前記係止突部２２に係止可能な係止爪部２４とで構成された被係止突部２５を設けてあり、前記摺動ケース７の係止突部２２を被係止突部２５の係止爪部２４に当接して、摺動ケース７に対して回転カム筒１１の後方（図２において右側方向）への移動を阻止するように摺動ケース７を回転カム筒１１内に挿着してある。係止部２１は、係止突部２２と収容部２０の後端との間を前記被係止突部２５の係止爪部２４が回転可能に嵌合凹部２６としてある。図１に示すように、摺動ケース７の前端部には外周壁面にリング状の突部２７を有した連結管２８が固着してあり、前軸２ａを、該前軸２ａの後端を前記突部２７に当接して前記連結管２８に圧入状態で嵌着して、前軸２ａを後軸２ｂに対して着脱自在に連接してある。後軸２ｂの先端には、装飾用金輪２９を螺着しかつ接着して設けてあり、連結管２８に圧入状態で嵌着した前軸２ａの後端部分を被覆してある。
【００２４】
摺動ケース７の筆記体収容溝６には、２本のボールペンレフィルの筆記体３と１本のシャープペンシルユニットの筆記体４を、コイルスプリング３０を介在して後方（図１において右側方向）に付勢して収容してあるが、各々の筆記体３、４の後端部には摺動体３１を装着してあり、各々の摺動体３１にはカム係止突起３２を設けてある。各々のカム係止突起３２は、回転カム筒１１のカム面１０に後方への押圧状態で当接させてある。
【００２５】
例えば、図１に示すようにボールペンレフィルの筆記体３の筆記先端部３３を軸筒２（口金部５）の先端開口部３４より突出させるには、後軸２ｂを前軸２ａに対して回転すると、後軸２ｂに連動して回転カム筒１１も回転し、図５に示すように、回転カム筒１１のカム面１０に当接した各々の筆記体３、４の摺動体３１に設けたカム係止突起３２はカム面１０に沿って移動し、傾斜面８により各々の摺動体３１は前後動し、順次、各々の摺動体１のカム係止突起３２の後端３２ａが、カム面１０の傾斜面８の先端に設けた凹溝３５に係止していくので、前記ボールペンレフィルの筆記体３の筆記先端部３３が先端開口部３４より突出した時に後軸２ｂの回転を止めれば、ボールペンレフィルの筆記体３の筆記先端部３３が先端開口部３４より突出した状態で維持される。シャープペンシルユニットの筆記体４の筆記先端部３６を軸筒２（口金部５）の先端開口部３４より突出させるには、同様に後軸２ｂを前軸２ａに対して更に回転すれば良い。
【００２６】
従来の回転繰出式の複合筆記具との相違点は、図３に示すように、回転カム筒１１の係止爪部２４を本発明における凸状部３７とし、該凸状部３７に対向した摺動ケース７の係止突部２２の前側端面３８には、周方向の壁面を傾斜面３９で構成した前記凸状部３７ａ、３７ｂ、３７ｃが嵌合可能な凹状部４０ａ、４０ｂ、４０ｃ、４０ｄ、４０ｅ、４０ｆを、周方向に等間隔で６つ設けた点である。
【００２７】
図１に示すように、例えばボールペンレフィルの筆記体３の筆記先端部３３が軸筒２（口金部５）の先端開口部３４より突出した際には、図３の（ａ）に示すように、各々の凸状部３７ａ、３７ｂ、３７ｃは凹状部４０ａ、４０ｃ、４０ｅに各々嵌合し、後軸２ｂを前軸２ａに対して反時計回りに６０°回転して回転カム筒１１を回転すると、全ての筆記体３、４の筆記先端部３３、３６を先端開口部３４に没入し、図３の（ｂ）に示すように、各々の凸状部３７ａ、３７ｂ、３７ｃは凹状部４０ｂ、４０ｄ、４０ｆに各々嵌合するように設けてある。図示していないが、さらに回転カム筒１１を回転すると、凸状部３７は順次隣の凹状部４０に嵌合し、順次他の筆記体の筆記先端部を軸筒２（口金部５）の先端開口部３４より突出したり没入したりする。
【００２８】
全ての筆記体の筆記先端部を軸筒２（口金部５）の先端開口部３４より没入した際には、各々の凸状部３７ａ、３７ｂ、３７ｃは凹状部４０ｂ、４０ｄ、４０ｆの各々に嵌合するので、また、筆記体の筆記先端部を先端開口部３４より突出した状態に維持した際にも、各々の凸状部３７ａ、３７ｂ、３７ｃは凹状部４０ａ、４０ｃ、４０ｅの各々に嵌合するので、その時の嵌合感によりかつ回転カム筒１１はピッチ毎に回転するので、必要以上に後軸２ｂを前軸２ａに対して回転し過ぎないように注意を払うことができる。また、全ての筆記体の筆記先端部が先端開口部３４に没入した状態から筆記体の筆記先端部を先端開口部３４より突出した状態に維持する際に、各々の凸状部３７ａ、３７ｂ、３７ｃを凹状部４０ｂ、４０ｄ、４０ｆの各々に嵌合した状態からから離脱させるために、大きな回転トルクで後軸２ｂを前軸２ａに対して回転する必要があるが、筆記体の筆記先端部が先端開口部３４より突出した状態では、凸状部３７と凹状部４０との嵌合力と、摺動体３１のカム係止突起３２と回転カム筒１１に設けた凹溝３５との係止力とにより、一旦筆記体の筆記先端部が先端開口部３４より突出した状態から出没させるには、より大きな回転トルクで後軸２ｂを前軸２ａに対して回転する必要があるので、後軸２ｂを前軸２ａに対して回転し過ぎることがない。
【００２９】
図６および図７は、請求項３に係る発明の実施例を示す。なお、図６は、図２におけるＡ−Ａ線部分の後端側方向（図２において右側方向）を見た拡大断面図であり、図７は、図６における回転カム筒に設けた凸状部と摺動ケースに設けた凹状部との位置関係を平面に展開した状態の概略を示す拡大展開図である。
【００３０】
本実施例は、前記実施例における摺動ケース７の係止突部２２に設けた凹状部４０において、全ての筆記体の筆記先端部が軸筒２（口金部５）の先端開口部３４に没入状態から筆記体の筆記先端部を突出状態にする際の回転カム筒１１の凸状部３７との嵌合力が、筆記体の筆記先端部が軸筒２（口金部５）の先端開口部３４から突出した状態から全ての筆記体の筆記先端部が没入状態した状態にする際の回転カム筒１１の凸状部３７との嵌合力より大きくなるようにしたものである。筆記体の筆記先端部を突出状態にした際の凸状部３７ａ、３７ｂ、３７ｃが嵌合する凹状部４０ａ、４０ｃ、４０ｅを構成する傾斜面３９ａの傾斜角度ｎを、全ての筆記体の筆記先端部が没入した際の凸状部３７ａ、３７ｂ、３７ｃが嵌合する凹状部４０ｂ、４０ｄ、４０ｆを構成する傾斜面３９ｂの傾斜角度ｍより大きくしてある（図７を参照）。
【００３１】
図８および図９は、請求項１に係る発明の前記実施例において、軸筒内にボールペンレフィルの筆記体の２本を収容した場合の実施例を示すものである。なお、図８は図３と同様に、図２におけるＡ−Ａ線部分の後端側方向（図２において右側方向）を見た端面の概略を示す拡大端面図であり、図９は図８における回転カム筒に設けた凸状部と摺動ケースに設けた凹状部との嵌合状態を平面に展開して示したものである。
【００３２】
回転繰出構造は従来と同様なので説明は省くが、請求項１に係る発明の前記実施例の場合との相違点は、図１には図示してないが、図８に示すように、回転カム筒１１の係止爪部２４を９０°毎に４つ設けて、前記実施例の場合と同様に、摺動ケース７の係止突部２２の回転カム筒１１の係止爪部２４に当接する前側端面３８に、傾斜面３９で構成された前記凸状部３７が嵌合可能な凹状部４０を、周方向に等間隔で４つ設けた点である。
【００３３】
請求項１に係る発明の前記実施例と同様に、例えばボールペンレフィルの筆記体３の筆記先端部３３が軸筒２（口金部５）の先端開口部３４より突出した際には、図８の（ａ）に示すように、前記各々の凸状部３７ａ、３７ｂ、３７ｃ、３７ｄは前記凹状部４０ａ、４０ｂ、４０ｃ、４０ｄに各々嵌合し、後軸２ｂを前軸２ａに対して口金部５に向って反時計回りに６０°回転して回転カム筒１１を回転すると、全ての筆記体４の筆記先端部３３を先端開口部３４に没入し、図８の（ｂ）に示すように、前記各々の凸状部３７ａ、３７ｂ、３７ｃ、３７ｄは前記凹状部４０ｂ、４０ｃ、４０ｄ、４０ａに各々嵌合するように設けてある。図示していないが、さらに回転カム筒１１を回転すると、凸状部３７は順次隣の凹状部４０に嵌合し、順次他の筆記体の筆記先端部を軸筒２（口金部５）の先端開口部３４より突出したり没入したりする。
【００３４】
前記実施例と同様に、全ての筆記体の筆記先端部を軸筒２（口金部５）の先端開口部３４より没入した際に、また記体の筆記先端部を先端開口部３４より突出した状態に維持した際に、各々の凸状部３７ａ、３７ｂ、３７ｃ、３７ｄは凹状部４０ａ、４０ｂ、４０ｃ、４０ｄに嵌合しているので嵌合感があり、かつ回転カム筒１１はピッチ毎に回転するので、後軸２ｂを前軸２ａに対して必要以上に回転し過ぎないように注意することができる。
【００３５】
図１０〜図１２は、請求項１に係る発明の他の実施例を示す。なお、図１０は、摺動ケースに回転カム筒を装着した状態を示す拡大縦断面である。図１１は、図１０におけるＢ−Ｂ線部分の前端側方向（図１０において左側方向）を見た拡大断面図であり、図１２は図４と同様に、図１１における摺動ケース７に設けた凸状部４１と回転カム筒１１に設けた凹状部４５との位置関係を平面に展開した状態の概略を示す拡大展開図である。
【００３６】
本実施例は、図１０に示すように、摺動ケース７は前記した実施例と同様に、円筒状の前方筒部１９と、周方向において１２０°ごとに周方向の幅寸法が同一の３つの筆記体収容溝６を有する収容部２０と、該収容部２０の外径より小径な係止部２１とで構成し、該係止部２１には周方向において１２０°ごとに軸心方向で外方に突出した３つの凸状部４１を設けてある（図１１を参照）。回転カム筒１１の内壁面には、内方に突出したリング状の被係止突部４２を設けてあり、前記摺動ケース７の凸状部４１を回転カム筒１１の被係止突部４２に当接することで、摺動ケース７に対して回転カム筒１１の後方（図１０において右側方向）への移動を阻止するように摺動ケース７を回転カム筒１１内に挿着した構造のものであり、それ以外の構造は請求項１に係る発明の最初の実施例と同様の構造としてある。
【００３７】
前記回転カム筒１１の被係止突部４２の摺動ケース７の凸状部４１に対向した後側端面４３には、図１１に示すように、周方向の壁面を傾斜面４４とした前記凸状部４１が嵌合可能な凹状部４５を、周方向に等間隔で６つ設けてある。
【００３８】
前記実施例と同様に、例えばボールペンレフィルの筆記体３の筆記先端部３３が軸筒２（口金部５）の先端開口部３４より突出した際には、図１１の（ａ）に示すように、摺動ケース７に設けた前記各々の凸状部４１ａ、４１ｂ、４１ｃは前記凹状部４５ａ、４５ｃ、４５ｅの各々に嵌合し、後軸２ｂを前軸２ａに対して反時計回りに６０°回転して回転カム筒１１を回転すると、全ての筆記体の筆記先端部を先端開口部３４に没入し、図１１の（ｂ）に示すように、前記各々の凸状部４１ａ、４１ｂ、４１ｃは前記凹状部４５ｆ、４５ｂ、４５ｄの各々に嵌合するように設けてある。図示していないが、さらに回転カム筒１１を回転すると、凸状部４１は順次隣の凹状部４５に嵌合し、順次他の筆記体の筆記先端部を軸筒２（口金部５）の先端開口部３４より突出したり没入したりする。
【００３９】
前記実施例と同様に、全ての筆記体の筆記先端部を軸筒２（口金部５）の先端開口部３４より没入した際に、また筆記体の筆記先端部を先端開口部３４より突出した状態に維持した際に、各々の凸状部４１ａ、４１ｂ、４１ｃは凹状部４５ａ、４５ｂ、４５ｃ、４５ｄ、４５ｅ、４５ｆの各々に嵌合するので嵌合感があり、かつ回転カム筒１１はピッチ毎に回転するので、後軸２ｂを前軸２ａに対して必要以上に回転し過ぎないように注意することができる。
【００４０】
図１３〜図１７は、請求項２に係る発明の回転繰出式の複合筆記具１の実施例を示す。なお、図１３は、軸筒内に３本の筆記体を収容した回転繰出式の複合筆記具の要部における、筆記体の筆記先端部が軸筒の先端開口部より突出した状態の要部を断面した断面図であり、図１４は、図１３におけるＣ−Ｃ線部分の前側方向を見た、クリップを省略した拡大断面図で、図１５は、図１３における摺動ケースの係止突部の後端面の拡大図で、図１６は、図１３における係止部材の前端面の拡大図で、図１７は、図１３における摺動ケースに設けた凸状部と、係止部材に設けた凹状部との位置関係を平面に展開した状態の概略を示す拡大展開図である。
【００４１】
本実施例は、図１３に示すように、摺動ケース７は前記した請求項１に係る発明の最初の実施例と同様に、円筒状の前方筒部１９と、周方向において１２０°ごとに周方向の幅寸法が同一の３つの筆記体収容溝６を有する収容部２０と、該収容部２０の外径より小径な係止部２１とで構成され、該係止部２１の後端には、リング状で係止部２１より大径な係止突部４６を設けてある。回転カム筒１１の内壁面には、請求項１に係る発明の最初の実施例と同様に、周方向において１２０°ごとに設けた３つの、内方に突出し軸心方向に延びた突条部２３と該突条部２３の先端に形成した前記係止突部４６に当接可能な係止爪部２４とで構成された被係止突部２５を設けてあり、前記摺動ケース７の係止突部４６を係止爪部２４に当接して、摺動ケース７に対して回転カム筒１１の後方（図１３において右側方向）への移動を阻止するように摺動ケース７を回転カム筒１１内に挿着してある。係止部２１は、係止突部４６と収容部２０の後端との間を前記係止爪部２４が回転可能に嵌合凹部２６としてある。
【００４２】
前記摺動ケース７の係止突部４６の後方には、回転カム筒１１の各々の被係止突部２５の突状部２３を嵌合する溝部４７を有し、該各々の溝部４７に各々の突状部２３を嵌合して回転カム筒１１の回転に連動して回転可能に（図１４を参照）、かつ摺動ケース７に対して前後動可能に、コイルスプリング４８により摺動ケース側に付勢して摺動ケース７の係止突部４６の後端面に当接可能に配した係止部材４９を設けてある。
【００４３】
前記摺動ケース７の係止突部４６と係止部材４９との間には、回転カム筒１１の回転に際し、回転カム筒１１がピッチ毎に回転し、全ての筆記体の筆記先端部が軸筒２（口金部５）の先端開口部３４より没入した際に、および各々の筆記体の筆記先端部が軸筒２（口金部５）の先端開口部３４より突出して維持された際に、凹凸嵌合するように、摺動ケース７の係止突部４６の後端面には、後方（図１３において右側方向）に向って突出した山型状の突部５０を周方向に等間隔に６つ設け、突部５０間を凹状とした凹状部５１を設けてあり、係止部材４９の前端面には、前記凹状部５１に嵌合可能な前方（図１３において左側方向）に向って山型状に突出した凸状部５２を周方向に等間隔に６つ設けてある。
【００４４】
係止部材４９は、コイルスプリング４８により摺動ケース側に付勢されて凸状部５２を摺動ケース７の係止突部４６の凹状部５１に嵌合して摺動ケース７に連接しており、回転操作体である後軸２ｂを回転して回転カム筒１１を回転すると、係止部材４９も連動して回転するが、山型状に突出した凸状部５２は凹状部５１の周方向の壁面に当接して後方への分力が働き、係止部材が後退して凸状部５２が凹状部５１から離脱して隣の凹状部５１に移動して嵌合し、この動作が繰り返し行われることで、回転カム筒１１は摺動ケース７に対して、ピッチ毎に回転可能となる。
【００４５】
前記実施例と同様に、全ての筆記体の筆記先端部を軸筒２（口金部５）の先端開口部３４より没入した際に、また筆記体の筆記先端部を先端開口部３４より突出した状態に維持した際に、各々の凸状部５２ａ、５２ｂ、５２ｃ、５２ｄ、５２ｅ、５２ｆは凹状部５１ａ、５１ｂ、５１ｃ、５１ｄ、５１ｅ、５１ｆの各々に嵌合しているので嵌合感があり、かつ回転カム筒１１はピッチ毎に回転するので、後軸２ｂを前軸２ａに対して必要以上に回転し過ぎないように注意することができる。
【産業上の利用可能性】
【００４６】
回転繰出式の複合筆記具において、軸筒内に収容した全ての筆記体の筆記先端部を軸筒内に没入する際に、また筆記体の筆記先端部を先端開口部より突出してその状態を維持する際に、回転操作体を回転し過ぎないようにしたい場合に、採用することができる。
【符号の説明】
【００４７】
１  回転繰出式の複合筆記具
２  軸筒
３、４  筆記体
６  筆記体収容溝
７  摺動ケース
８  傾斜面
１０  カム面
１１  回転カム筒
３０  コイルスプリング
３１  摺動体
３２  カム係止突起
３３、３６  筆記先端部
３４  先端開口部
３７、４１  凸状部
４０、４５  凹状部
４８  コイルスプリング
４９  係止部材
５１  凹状部
５２  凸状部
【図１】
0005388358.tif 000002
【図２】
0005388358.tif 000003
【図３】
0005388358.tif 000004
【図４】
0005388358.tif 000005
【図５】
0005388358.tif 000006
【図６】
0005388358.tif 000007
【図７】
0005388358.tif 000008
【図８】
0005388358.tif 000009
【図９】
0005388358.tif 000010
【図１０】
0005388358.tif 000011
【図１１】
0005388358.tif 000012
【図１２】
0005388358.tif 000013
【図１３】
0005388358.tif 000014
【図１４】
0005388358.tif 000015
【図１５】
0005388358.tif 000016
【図１６】
0005388358.tif 000017
【図１７】
0005388358.tif 000018